【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
第１軸を中心に回転されその第１軸から離れた位置に突出形成される形成部を有する第１部材と、前記形成部が配置される配置部を有し移動可能に構成される第２部材と、前記第１部材を前記第１軸を中心に回転させる駆動力を発生させる駆動装置と、を備え、
前記配置部は、前記第１部材が一の回転方向に回転する状態では、配置された前記形成部の移動方向に対面する前記配置部の内周面に前記形成部が当接されることで前記第２部材に前記駆動力が伝達可能とされ、前記第２部材を移動可能に構成される一方、前記第１部材が他の回転方向に回転する状態では、前記駆動力の伝達が遮断される選択領域と、
前記形成部に当接した状態で前記駆動力の伝達が遮断される非伝達領域と、を備え、
前記第１部材を視認させないための遮蔽手段を備えることを特徴とする遊技機。
【請求項２】
発光する発光手段を備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、第１軸を中心に回転されその第１軸から離れた位置に突出形成される形成部を有する第１部材と、前記形成部が配置される配置部を有し移動可能に構成される第２部材と、前記第１部材を前記第１軸を中心に回転させる駆動力を発生させる駆動装置と、を備え、前記配置部は、前記第１部材が一の回転方向に回転する状態では、配置された前記形成部の移動方向に対面する前記配置部の内周面に前記形成部が当接されることで前記第２部材に前記駆動力が伝達可能とされ、前記第２部材を移動可能に構成される一方、前記第１部材が他の回転方向に回転する状態では、前記駆動力の伝達が遮断される選択領域と、前記形成部に当接した状態で前記駆動力の伝達が遮断される非伝達領域と、を備え、前記第１部材を視認させないための遮蔽手段を備える。
【手続補正３】
【補正対象書類名】明細書
【補正対象項目名】０００７
【補正方法】変更
【補正の内容】
【０００７】
請求項２記載の遊技機は、請求項１記載の遊技機において、発光する発光手段を備える。
【手続補正４】
【補正対象書類名】明細書
【補正対象項目名】００１０
【補正方法】変更
【補正の内容】
【００１０】
請求項２記載の遊技機によれば、請求項１記載の遊技機の奏する効果に加え、発光手段により演出効果を高めることができる。
【手続補正５】
【補正対象書類名】明細書
【補正対象項目名】０６６９
【補正方法】変更
【補正の内容】
【０６６９】
１０                                            パチンコ機（遊技機）
１３                                            遊技盤
６５                                            第１可変入賞装置（開閉装置）
３１３                                          可動演出部材（盤内役物）
３１４                                          第１アウト口
３１５                                          第２アウト口
３１５ａ                                        案内リブ（方向調整リブ）
３２０                                          左下板部材（下板部）
３２２                                          緩衝リブ
３２４                                          段部
３３０                                          右下板部材（下板部）
３３２                                          緩衝リブ
４００                                          上下動作ユニット（遮蔽手段）
５１２                                          第１軸部（第１軸）
５４０、６５４０                                伸縮演出装置（可動部材）
５４１                                          本体部材（中間部材の一部）
５４４                                          スライド板（中間部材の一部）
５４５                                          スライドレール（中間部材の一部）
５４１ｂ                                        突起部
５４１ｅ                                        案内締結部（位置決め補助部）
５５０、５５５０、６５５０                      回動アーム部材（アーム部材、ストッパ部材、第２部材）
５５３                                          異形長孔（挿通部、配置部）
５５３ｄ                                        選択壁部（選択領域）
５５４                                          円弧状孔（挿通部）
５５４ａ                                        口先部（溝部）
５５４ｂ                                        第１ストッパ面（挿通部の一部）
５５４ｃ                                        第２ストッパ面（挿通部の一部）
５６０                                          第２駆動装置（駆動装置）
５７０                                          回動クランク部材（クランク部材、第１部材）
５７４                                          摺動突起部（突起部、形成部）
６１０、７６１０                                ベース部材
６１３                                          第１軸支孔（支持部）
６１４                                          第２軸支孔（軸支部）
６２０、４６２０                                演出部材（可動部材）
６２１ａ                                        摺動軸部（突起部）
６３０                                          第１駆動装置（駆動装置）
６４０、２６４０、３６４０、４６４０、７６４０  伝達部材（伝達部材、可動部材）
６４１、２６４１、３６４１                      本体部
６４３                                          摺動孔（挿通部）
６４４                                          当接部
６５０                                          ねじりバネ（付勢装置、弾性バネ）
６５２                                          付勢腕部（長尺部材）
６５３ａ                                        屈曲部（第１折曲点）
３６４１ａ                                      傾斜側面（先端拡大領域）
５５５６                                        凹設部（外側窪み部）
７６１３                                        摺動孔（支持部）
７６４３                                        軸支孔（挿通部）
Ｄ                                              余裕部